(57)【要約】【課題】広告情報を含んだコンテンツの表示を制御するコンテンツ表示装置を提供する。【解決手段】コンテンツデータベース４は、広告情報を含むコンテンツのデータと表示時間と表示ごとの広告料の単価情報を関連付けて記憶する。送受信手段１は、端末装置３０と印刷装置２０に接続され、印刷データを端末装置３０から受信し、印刷データを印刷装置２０へ中継する。コンテンツ選択手段１０は、送受信手段１から印刷データを受信し、印刷データの印刷時間を測定し、印刷時間内で表示可能であり、かつ広告料の合計が所定の条件に当てはまることを検出条件として、コンテンツの組み合わせからなる表示パターンを検出し、該当するコンテンツのデータをコンテンツデータベース４から読み出す。表示出力手段３は、コンテンツのデータをコンテンツ選択手段２から受信して表示装置に送信する。これらを備えたコンテンツ表示装置を提供する。【選択図】    図１
2005267453.tif 000002
【特許請求の範囲】
【請求項１】
広告情報を含むコンテンツのデータと前記コンテンツの表示時間と表示ごとの広告料の単価情報を関連付けて記憶するコンテンツ記憶部と、
端末装置と印刷装置に接続され、印刷データを前記端末装置から受信し、前記印刷データを前記印刷装置へ送信する送受信手段と、
前記送受信手段から前記印刷データを受信し、前記印刷データの印刷時間を測定し、前記印刷時間内で表示可能であり、かつ前記広告料の合計が所定の条件に当てはまることを検出条件として、前記コンテンツの組み合わせからなる表示パターンを検出し、該当する前記コンテンツのデータを前記コンテンツ記憶部から読み出すコンテンツ選択手段と、
前記コンテンツのデータを表示する表示装置に接続され、前記コンテンツのデータを前記コンテンツ選択手段から受信して前記表示装置に送信する表示出力手段と、
を備えたことを特徴とするコンテンツ表示装置。
【請求項２】
前記コンテンツ記憶部は、前記コンテンツに関連付けて前記コンテンツの表示を許可する時間帯の情報を記憶しており、
前記コンテンツ選択手段は、
内部に設定されている時計から現在時刻の情報を取得し、前記現在時刻に表示が許可されている前記コンテンツを検出対象に含めることを特徴とする請求項１に記載のコンテンツ表示装置。
【請求項３】
前記コンテンツ記憶部は、前記広告料の予納金の残額情報を前記コンテンツに対応付けて記憶しており、
前記コンテンツ選択手段は、
前記コンテンツごとの予納残額がマイナスにならないことを前記コンテンツの前記表示パターンの検出条件に含めることを特徴とする請求項１または２に記載のコンテンツ表示装置。
【請求項４】
記録媒体から印刷データを読み出す端末装置と、
前記端末装置から前記印刷データを受信し、前記印刷データの印刷時間を測定し、予め記憶している広告情報を含むコンテンツから前記印刷時間の範囲内で表示可能であり、前記コンテンツの表示ごとに設定されている広告料の合計が所定の条件に当てはまることを検出条件として、前記コンテンツの表示パターンを検出し、前記表示パターンに該当するコンテンツのデータ及び前記印刷データを送信するコンテンツ表示装置と、
前記コンテンツ表示装置から前記印刷データを受信して印刷する印刷装置と、
前記コンテンツ表示装置から前記コンテンツのデータを受信して表示する表示装置と、
を備えたことを特徴とするコンテンツ表示システム。
【請求項５】
記録媒体から印刷データを読み出す端末装置と、前記印刷データを印刷する印刷装置と、コンテンツのデータを表示する表示装置に接続され、表示時間と表示ごとの広告料の単価情報が設定されている広告情報を含んだコンテンツのデータを記憶するコンテンツ表示装置のコンテンツ表示方法であって、
前記印刷データを前記端末装置から受信する過程と、
前記送受信手段から前記印刷データを受信する過程と、
前記印刷データの印刷時間を測定し、前記印刷時間内で表示可能であり、かつ前記広告料の合計が所定の条件に当てはまることを検出条件として、前記コンテンツの表示パターンを検出する過程と、
前記コンテンツのデータを表示装置に送信する過程と、
前記印刷データを前記印刷装置へ送信する過程と、
からなることを特徴とするコンテンツ表示方法。
【請求項６】
記録媒体から印刷データを読み出す端末装置と、前記印刷データを印刷する印刷装置と、コンテンツのデータを表示する表示装置に接続され、表示時間と表示ごとの広告料の単価情報が設定されている広告情報を含んだコンテンツのデータを記憶するコンテンツ表示装置のコンピュータに、
前記印刷データを前記端末装置から受信する手順、
前記送受信手段から前記印刷データを受信する手順、
前記印刷データの印刷時間を測定し、前記印刷時間内で表示可能であり、かつ前記広告料の合計が所定の条件に当てはまることを検出条件として、前記コンテンツの表示パターンを検出する手順、
前記コンテンツのデータを表示装置に送信する手順、
前記印刷データを前記印刷装置へ送信する手順、
を実行させるコンピュータプログラム。
【発明の詳細な説明】
【技術分野】
【０００１】
本発明は、印刷装置の印刷の待ち時間の間に広告情報を含むコンテンツを表示するコンテンツ表示装置及びコンテンツ表示方法ならびにそのコンピュータプログラム、コンテンツ表示システムに関する。
【背景技術】
【０００２】
従来の技術において、端末装置に広告を配信する広告情報提供システムサーバを設け、端末装置から広告情報提供システムサーバが印刷要求を受け付けて、印刷の待ち時間の間に端末装置に広告のコンテンツを送信し、端末装置の画面上に広告のコンテンツを表示する技術は存在している（例えば、特許文献１参照）。
【特許文献１】特開２００２−１５７１０１号公報
【発明の開示】
【発明が解決しようとする課題】
【０００３】
しかしながら、特許文献１に示す広告情報提供システムサーバは、印刷要求を受け付け、予め記憶している広告のコンテンツを順に表示し、その広告を表示した結果を広告情報提供者に提示している。そのため、例えば、コンテンツを表示する前に、所定の条件に従って広告コンテンツを選択して表示するといった制御ができないという問題がある。
【０００４】
本発明は、上記問題を解決すべくなされたもので、その目的は、コンテンツの表示前に、表示するコンテンツの表示パターンを設定した条件に従って選択することができるコンテンツ表示装置を提供することにある。
【課題を解決するための手段】
【０００５】
上述した課題を解決するために、請求項１に記載の発明は、広告情報を含むコンテンツのデータと前記コンテンツの表示時間と表示ごとの広告料の単価情報を関連付けて記憶するコンテンツ記憶部（コンテンツデータベース４）と、端末装置（端末装置３０）と印刷装置（印刷装置２０）に接続され、印刷データを前記端末装置から受信し、前記印刷データを前記印刷装置へ送信する送受信手段（送受信手段１）と、前記送受信手段から前記印刷データを受信し、前記印刷データの印刷時間を測定し、前記印刷時間内で表示可能であり、かつ前記広告料の合計が所定の条件に当てはまることを検出条件として、前記コンテンツの組み合わせからなる表示パターンを検出し、該当する前記コンテンツのデータを前記コンテンツ記憶部から読み出すコンテンツ選択手段（コンテンツ選択手段２）と、前記コンテンツのデータを表示する表示装置（表示装置４０）に接続され、前記コンテンツのデータを前記コンテンツ選択手段から受信して前記表示装置に送信する表示出力手段（表示出力手段３）と、を備えたことを特徴とするコンテンツ表示装置（コンテンツ表示装置１０）である。
【０００６】
請求項２に記載の発明は、請求項１に記載の発明において、前記コンテンツ記憶部は、前記コンテンツに関連付けて前記コンテンツの表示を許可する時間帯の情報を記憶しており、前記コンテンツ選択手段は、内部に設定されている時計（時計５）から現在時刻の情報を取得し、前記現在時刻に表示が許可されている前記コンテンツを検出対象に含めることを特徴とする。
【０００７】
請求項３に記載の発明は、請求項１または２に記載の発明において、前記コンテンツ記憶部は、前記広告料の予納金の残額情報を前記コンテンツに対応付けて記憶しており、前記コンテンツ選択手段は、前記コンテンツごとの予納残額がマイナスにならないことを前記コンテンツの前記表示パターンの検出条件に含めることを特徴とする。
【０００８】
請求項４に記載の発明は、記録媒体から印刷データを読み出す端末装置と、前記端末装置から前記印刷データを受信し、前記印刷データの印刷時間を測定し、予め記憶している広告情報を含むコンテンツから前記印刷時間の範囲内で表示可能であり、前記コンテンツの表示ごとに設定されている広告料の合計が所定の条件に当てはまることを検出条件として、前記コンテンツの表示パターンを検出し、前記表示パターンに該当するコンテンツのデータ及び前記印刷データを送信するコンテンツ表示装置と、前記コンテンツ表示装置から前記印刷データを受信して印刷する印刷装置と、前記コンテンツ表示装置から前記コンテンツのデータを受信して表示する表示装置と、を備えたことを特徴とするコンテンツ表示システムである。
【０００９】
請求項５に記載の発明は、記録媒体から印刷データを読み出す端末装置と、前記印刷データを印刷する印刷装置と、コンテンツのデータを表示する表示装置に接続され、表示時間と表示ごとの広告料の単価情報が設定されている広告情報を含んだコンテンツのデータを記憶するコンテンツ表示装置のコンテンツ表示方法であって、前記印刷データを前記端末装置から受信する過程と、前記送受信手段から前記印刷データを受信する過程と、前記印刷データの印刷時間を測定し、前記印刷時間内で表示可能であり、かつ前記広告料の合計が所定の条件に当てはまることを検出条件として、前記コンテンツの表示パターンを検出する過程と、前記コンテンツのデータを表示装置に送信する過程と、前記印刷データを前記印刷装置へ送信する過程と、からなることを特徴とするコンテンツ表示方法である。
【００１０】
請求項６に記載の発明は、記録媒体から印刷データを読み出す端末装置と、前記印刷データを印刷する印刷装置と、コンテンツのデータを表示する表示装置に接続され、表示時間と表示ごとの広告料の単価情報が設定されている広告情報を含んだコンテンツのデータを記憶するコンテンツ表示装置のコンピュータに、前記印刷データを前記端末装置から受信する手順、前記送受信手段から前記印刷データを受信する手順、前記印刷データの印刷時間を測定し、前記印刷時間内で表示可能であり、かつ前記広告料の合計が所定の条件に当てはまることを検出条件として、前記コンテンツの表示パターンを検出する手順、前記コンテンツのデータを表示装置に送信する手順、前記印刷データを前記印刷装置へ送信する手順、を実行させるコンピュータプログラムである。      
【００１１】
この発明によれば、コンテンツ表示装置が端末装置から受信した印刷データの印刷時間を測定し、その印刷時間の間に表示可能であり、かつ広告料が所定の条件、例えば合計金額が最大になることを検出条件として、コンテンツの表示パターンを検出する構成になっている。そのため、ユーザは、印刷の待ち時間にコンテンツを見ることができ、時間を有効に利用することが可能となる。また、コンテンツ表示装置の提供者は、広告料に基づいた表示を自動的に行うことが可能となる。
【００１２】
また、本発明によれば、コンテンツには表示を許可する時間帯の情報が関連付けられており、コンテンツ表示装置がコンテンツを選択する際に現在時刻の情報を取得し、現在時刻に表示が許可されていることを検出条件に加える構成となっている。そのため、広告提供者は、コンテンツを表示したい時間帯を設定することが可能となり、時間帯にあったコンテンツを表示することにより、広告の効果を高めることが可能となる。
【００１３】
また、本発明によれば、コンテンツには広告料提供者が予納した金額の残額情報が関連付けられており、予納残額がマイナスにならないことを検出条件に加える構成となっている。そのため、広告提供者の意志に反してコンテンツを多く表示することを防ぐことができ、また、広告提供者は、コンテンツの希望する表示回数を予納金額によって設定することが可能となる。
【００１４】
また、本発明によれば、コンテンツ表示システムは、記録媒体から印刷データを読み出す端末装置と、前記端末装置から前記印刷データを受信し、前記印刷データの印刷時間を測定し、予め記憶している広告のコンテンツから前記印刷時間の範囲内で表示可能であり、前記コンテンツの表示ごとに設定されている広告料が所定の条件に当てはまることを検出条件として、前記コンテンツの表示パターンを検出するコンテンツ表示装置と、前記コンテンツ表示装置から前記印刷データを受信して印刷する印刷装置と、前記コンテンツ表示装置から前記コンテンツを受信して表示する表示装置からなる構成となっている。そのため、本システムの提供者は、例えば、観光地等においてこのシステムを運用した場合に、デジタルカメラで撮影した旅行者が観光地で画像データを印刷することができるサービスを提供すると共に、観光地にいる大勢の人に観光案内等のコンテンツを見せることが可能となる。
【発明を実施するための最良の形態】
【００１５】
以下、本発明の一実施形態によるコンテンツ表示装置を図面を参照して説明する。
図１は、この発明の一実施形態によるコンテンツ表示装置及びそれに接続する装置の構成を示す概略ブロック図である。
同図において、端末装置３０は、ユーザの記録媒体、例えばＣＤ−ＲＯＭ（Ｃｏｍｐａｃｔ  Ｄｉｓｃ  Ｒｅａｄ  Ｏｎｌｙ  Ｍｅｍｏｒｙ）等から印刷データを読み込む。印刷装置２０は、印刷データを受信して印刷する。表示装置４０は、例えばプロジェクタであり、入力されたコンテンツ等のデータをスクリーン等へ表示する。コンテンツ表示装置１０は、コンテンツを記憶しており、受信した印刷データの印刷時間に基づいてコンテンツを選択し、表示装置４０にコンテンツのデータを表示させる。
コンテンツ表示装置１０において、コンテンツデータベース４は、動画や静止画等のコンテンツとそのコンテンツの表示時間と表示ごとの広告料の単価情報を関連付けて記憶する。
【００１６】
送受信手段１は、端末装置３０から印刷データを受信し、また、受信した印刷データを印刷装置２０へ送信する。
コンテンツ選択手段２は、送受信手段１から印刷データを受信し、その印刷データの印刷時間を測定する。そして、コンテンツデータベース４からコンテンツのデータとコンテンツに関連付けられている情報を読み出し、測定した印刷時間の範囲に収まるコンテンツの組み合わせからなる表示パターンを検出する。検出した表示パターンの中から広告料の合計が所定の条件に当てはまる表示パターンを選択する。ここで、所定の条件とは、例えば、広告料の合計が最も高額となる条件などがある。選択した表示パターン中からいずれか１つを最終的に選択して表示装置４０に送信し、表示装置４０は、スクリーン５０にコンテンツを表示する。なお、いずれか１つの組み合わせを選択する方法としては、例えば、コンテンツごとの表示回数の履歴から表示回数の少ないコンテンツを優先して表示する方法や、単価のコンテンツの組み合わせを含む表示パターンを表示する方法等が考えられる。
コンテンツデータベース４は、コンテンツに関連付けてコンテンツの表示を許可する時間帯の情報を更に記憶している。そして、コンテンツ選択手段２は、印刷時間の範囲内に収まるコンテンツの表示パターンを検出する際に、時計５から現在時刻を取得する。そして、取得した現在時刻に表示が許可されているコンテンツを対象としてコンテンツの表示パターンの検出を行う。
また、コンテンツデータベース４は、コンテンツを表示した際にサービスの提供者が徴収する広告料を広告提供者が予め予納した予納金額の残額情報を各コンテンツに関連付けて記憶している。コンテンツ選択手段２は、コンテンツの表示パターンを検出する際に、コンテンツごとの予納残額を読み出して、表示することで予納残額がマイナスになるコンテンツを除外してコンテンツの表示パターンを検出する。
なお、印刷の開始と表示の開始のタイミングを合わせる場合には、コンテンツ選択手段２は、コンテンツを表示装置４０に送信した際に、送受信手段１が蓄積している印刷データを印刷装置２０に送信させる印刷開始信号を送信することで実現することができる。
コンテンツ表示装置の具体的な実施例として、観光地等の人が多く集まる公共の場での運営を想定している。例えば、デジタルカメラで撮影した旅行者が、観光地でデジタルカメラの画像データを印刷できると共に、観光地にいる大勢の人に観光案内等の広告情報を提供すること等を具体例として示すことができる。
【００１７】
図２は、コンテンツデータベース４が記憶しているデータベース構造を示した図である。同図においてコンテンツの列にはコンテンツのデータの名称が記憶されており、コンテンツごとに表示時間（単位：秒）の情報と表示を許可する時間帯の情報と広告料の単価の情報と予納残額の情報を関連付けて記憶している。
同図において、コンテンツを検出する方法について説明する。例えば、現在時刻が９：００であって、印刷時間が４０秒の場合には、まず設定されている時間帯を参照して、９：００の時点で表示が許可されていないコンテンツＢを検索対象から除外する。次に、表示可能な組み合わせを検出し、（１）合計金額が４０円となるコンテンツＡを４回表示する組み合わせと（２）合計金額が３０円となるコンテンツＡを１回とコンテンツＣを１回表示する組み合わせと（３）合計金額が７０円となるコンテンツＤを１回表示する組み合わせの３つの組み合わせを検出する。ここで、広告料の合計金額が最大になることが検出条件として設定されている場合には、この中で合計金額が最も高くなるパターン（３）が該当する表示パターンとなる。しかし、Ｄの予納残額が０円であるため、パターン（１）のコンテンツＡを４回表示する組み合わせを最終的に選択し、表示する。
【００１８】
図３は、コンテンツ表示装置の広告コンテンツ検出の処理を示したフローチャートである。最初に、コンテンツ表示装置が端末装置から印刷データを受信する（ステップＳ３−１）。受信した印刷データから印刷時間を算出する（ステップＳ３−２）。内蔵されている時計から現在時刻を取得する（ステップＳ３−３）。次に、コンテンツデータベースから各コンテンツに関連付けられている表示時間、表示許可時間帯、広告料単価及び予納残額の情報を読み出す（ステップＳ３−４）。現在時刻に表示が許可されていないコンテンツデータを検出対象から除外する（ステップＳ３−５）。表示時間の合計が印刷時間内となるコンテンツの表示パターンを全て検出する（ステップＳ３−６）。予納残額の情報から、表示した場合に残額がマイナスになる表示パターンを除外する（ステップＳ３−７）。表示パターンが存在するかを確認し（ステップＳ３−８）、存在しない場合は、次の処理に進む。存在する場合には、表示パターンのうち広告料の合計が最大になる組み合わせを表示装置に送信して、表示させる（ステップＳ３−９）。そして、印刷データを印刷装置に送信して終了する（ステップＳ３−１０）。
【００１９】
上述のコンテンツ表示装置は内部に、コンピュータシステムを有している。そして、上述したコンテンツ表示装置における処理過程は、プログラム形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【図面の簡単な説明】
【００２０】
【図１】本発明の一実施形態におけるコンテンツ表示装置とそれに接続する装置の構成を示したブロック図である。
【図２】同実施形態におけるコンテンツデータベースのデータ構造を示した図である。
【図３】同実施形態におけるコンテンツ表示装置の処理を示したフローチャートである。
【符号の説明】
【００２１】
１  送受信手段
２  コンテンツ選択手段
３  表示出力手段
４  コンテンツデータベース
５  時計
１０  コンテンツ表示装置
２０  印刷装置
３０  端末装置
４０  表示装置
【図１】
2005267453.tif 000003
【図２】
2005267453.tif 000004
【図３】
2005267453.tif 000005